(57)【要約】  本願は、モバイル端末を提供する。モバイル端末は、第１のインターフェースと、第２のインターフェースと、第１の配置検出回路と、第２の配置検出回路と、データ検出回路と、プロセッサと、スイッチ回路と、バッテリとを含み、第１のインターフェースは、第１の配置検出回路に電気的に接続され、第２のインターフェースは、第２の配置検出回路に電気的に接続され、データ検出回路は、第１のインターフェースと、第２のインターフェースとに電気的に接続される。第１の配置検出回路、第２の配置検出回路、およびデータ検出回路は、さらに、プロセッサに電気的に接続され、プロセッサは、スイッチ回路に電気的に接続され、スイッチ回路は、第１のインターフェース、第２のインターフェース、およびバッテリに電気的に接続される。第１のインターフェースおよび第２のインターフェースは、周辺デバイスに接続するように構成される。第１の配置検出回路及び第２の配置検出回路は、周辺デバイスがモバイル端末に接続されているか否かを検出するように構成される。データ検出回路は、周辺デバイスがモバイル端末とデータをやりとりするか否かを検出するように構成される。プロセッサは、第１の配置検出回路、第２の配置検出回路、およびデータ検出回路の検出結果に基づいてスイッチ回路を制御するように構成される。スイッチ回路は、バッテリまたはプロセッサに別々に伝導される第１のインターフェースおよび第２のインターフェースを制御するように構成される。従って、モバイル端末にインターフェースを追加し、モバイル端末にスイッチ回路を追加し、スイッチ回路のスイッチ状態に基づいて充電経路及びデータ伝送経路を調整する。このように、モバイル端末は、安全性を確保しつつ、充電とデータ伝送を同時にサポートすることができ、これは、モバイル端末においては、充電とデータ伝送を同時に安全に行うことができないという問題を解決する。
2021532484.tif 000002
【特許請求の範囲】
【請求項１】
モバイル端末であって、第１のインターフェース、第２のインターフェース、第１の配置検出回路、第２の配置検出回路、データ検出回路、プロセッサ、スイッチ回路、およびバッテリを含み、
前記第１のインターフェースが前記第１の配置検出回路に電気的に接続され、前記第２のインターフェースが前記第２の配置検出回路に電気的に接続され、前記データ検出回路が前記第１のインターフェース及び前記第２のインターフェースに電気的に接続され、前記第１の配置検出回路、前記第２の配置検出回路及び前記データ検出回路が前記プロセッサに電気的にさらに接続され、前記プロセッサが前記スイッチ回路に電気的に接続され、前記スイッチ回路が前記第１のインターフェース、前記第２のインターフェース及び前記バッテリに電気的に接続され、
前記第１のインターフェースおよび前記第２のインターフェースが周辺デバイスに接続するように構成され、
前記第１の配置検出回路及び前記第２の配置検出回路は、前記周辺デバイスが前記モバイル端末に接続されているか否かを検出するように構成され、
前記データ検出回路は、前記周辺デバイスが前記モバイル端末とデータを交換するか否かを検出するように構成され、
前記プロセッサは、前記第１の配置検出回路、前記第２の配置検出回路、および前記データ検出回路の検出結果に基づいて前記スイッチ回路を制御するように構成され、
前記スイッチ回路は、前記バッテリまたは前記プロセッサに別々に導通される前記第１のインターフェースおよび前記第２のインターフェースを制御するように構成される、
モバイル端末。
【請求項２】
前記スイッチ回路は、第１のスイッチと、第２のスイッチと、第３のスイッチと、データチャネルスイッチとを含み、
前記第１のスイッチの第１の端部が前記第１のインターフェースの電力ポートに電気的に接続され、前記第１のスイッチの第２の端部が前記バッテリに電気的に接続され、前記第１のスイッチの制御端部が前記プロセッサの第１の出力端部に電気的に接続され、
前記第２のスイッチの第１の端部が前記第２のインターフェースの電力ポートに電気的に接続され、前記第２のスイッチの第２の端部が前記バッテリに電気的に接続され、前記第２のスイッチの制御端部が前記プロセッサの第２の出力端部に電気的に接続され、
前記第３のスイッチの第１の端部が前記第１のインターフェースの電力ポートに電気的に接続され、前記第３のスイッチの第２の端部が前記第２のインターフェースの電力ポートに電気的に接続され、前記第３のスイッチの制御端部が前記プロセッサの第３の出力端部に電気的に接続され、
前記データチャネルスイッチの制御端部は、前記プロセッサの第４の出力端部に電気的に接続され、前記データチャネルスイッチの第１の端部は、前記第１のインターフェースのデータ端部に電気的に接続され、前記データチャネルスイッチの第２の端部は、前記第２のインターフェースのデータ端部に電気的に接続され、前記データチャネルスイッチの第３の端部は、前記プロセッサのデータポートに電気的に接続される、
請求項１に記載のモバイル端末。
【請求項３】
前記周辺デバイスが、電源アダプタまたはＯＴＧデバイスを含み、
前記電源アダプタが前記第１のインターフェースに接続され、前記ＯＴＧデバイスが前記第２のインターフェースに接続されている場合、前記プロセッサは、
前記データチャネルスイッチの前記第２の端部および前記第３の端部が導通されるように、前記第１のスイッチを閉じ、前記第２のスイッチを開き、前記第３のスイッチを閉じるように制御し、
前記データチャネルスイッチの前記第２の端部と前記第３の端部が導通されるように、前記第１のスイッチを閉じ、前記第２のスイッチを閉じ、前記第３のスイッチを開くように制御するように具体的に構成される、
請求項２に記載のモバイル端末。
【請求項４】
前記周辺デバイスが、電源アダプタまたはＯＴＧデバイスを含み、
前記電源アダプタが前記第２のインターフェースに接続され、前記ＯＴＧデバイスが前記第１のインターフェースに接続されている場合、プロセッサは、
前記データチャネルスイッチの前記第１の端部および前記第３の端部が導通されるように、前記第１のスイッチを閉じ、前記第２のスイッチを閉じ、前記第３のスイッチを開くように制御し、
前記データチャネルスイッチの前記第１の端部および前記第３の端部が導通されるように、前記第１のスイッチを閉じ、前記第２のスイッチを開き、前記第３のスイッチを閉じるように制御するように具体的に構成される、
請求項２に記載のモバイル端末。
【請求項５】
前記周辺デバイスは、電源アダプタまたはパーソナルコンピュータを含み、
最初に前記電源アダプタが前記第１のインターフェースに接続され、次に前記パーソナルコンピュータが前記第２のインターフェースに接続される場合、前記プロセッサは、前記第１のスイッチを閉じ、前記第２のスイッチと前記第３のスイッチを開くように制御するように構成され、
最初に前記パーソナルコンピュータが前記第２のインターフェースに接続され、次に前記電源アダプタが前記第１のインターフェースに接続される場合、前記プロセッサは、前記第１のスイッチを開き、前記第２のスイッチを閉じ、前記第３のスイッチを開くように制御するように具体的に構成される、
請求項２に記載のモバイル端末。
【請求項６】
前記周辺デバイスは、電源アダプタまたはパーソナルコンピュータを含み、
最初に前記電源アダプタが前記第２のインターフェースに接続され、次に前記パーソナルコンピュータが前記第１のインターフェースに接続される場合、前記プロセッサは、前記第１のスイッチを開き、前記第２のスイッチを閉じ、前記第３のスイッチを開き、前記データチャネルスイッチの第１の端部と第３の端部を導通するよう制御するように具体的に構成され、又は
最初に前記パーソナルコンピュータが前記第１のインターフェースに接続され、次に前記電源アダプタが前記第２のインターフェースに接続される場合、前記プロセッサは、前記第１のスイッチを閉じ、前記第２のスイッチおよび前記第３のスイッチを開き、前記データチャネルスイッチの第１の端部および第３の端部を導通するように制御するように具体的に構成される、
請求項２に記載のモバイル端末。
【請求項７】
前記モバイル端末は、メモリをさらに備え、前記メモリは、前記スイッチ回路のスイッチ状態と、前記第１の配置検出回路、前記第２の配置検出回路、及び前記データ検出回路の検出結果との間の対応を記憶するように構成される、請求項１又は２に記載のモバイル端末。
【請求項８】
前記プロセッサは、前記対応と、前記第１の配置検出回路、前記第２の配置検出回路、及び前記データ検出回路の検出結果とに基づいて、前記スイッチ回路の前記スイッチ状態を制御するように具体的に構成される、請求項７に記載のモバイル端末。
【請求項９】
前記第１のインターフェース及び前記第２のインターフェースは、同じポートを備える、請求項１ないし８いずれか一項に記載のモバイル端末。
【請求項１０】
前記第１のインターフェースおよび前記第２のインターフェースは、ＶＢＵＳ、Ｄ＋、Ｄ−、ＵＳＢ＿ＩＤ、およびグラウンドを備える、請求項９に記載のモバイル端末。
【請求項１１】
前記第１のインターフェースまたは前記第２のインターフェースは、ＵＳＢマイクロＢインターフェースである、請求項１ないし１０いずれか一項に記載のモバイル端末。
【請求項１２】
前記第１のインターフェースまたは前記第２のインターフェースは、ＰＯＧＯ  ＰＩＮインターフェースである、請求項１ないし１０いずれか一項に記載のモバイル端末。
【請求項１３】
前記モバイル端末は、さらにベースを含み、前記ベースは、前記ＰＯＧＯ  ＰＩＮインターフェースに接続され、前記ＰＯＧＯ  ＰＩＮインターフェースをＵＳＢマイクロＢインターフェースに変換する、請求項１２に記載のモバイル端末。
【請求項１４】
前記モバイル端末は、ベースをさらに備え、前記ベースは、前記ＰＯＧＯ  ＰＩＮインターフェースに接続され、前記ＰＯＧＯ  ＰＩＮインターフェースをタイプＡインターフェースに変換する、請求項１２に記載のモバイル端末。
【発明の詳細な説明】
【技術分野】
【０００１】
本出願は、通信技術の分野に関し、特にモバイル端末に関する。
【背景技術】
【０００２】
現在、モバイル端末はますます広く使われるようになってきており、人々は、生活のためであれ、仕事のためであれ、モバイル端末と不可分の存在となっている。従って、充電中にデータ伝送のためにモバイル端末が周辺デバイスに接続されることが必要とされるアプリケーションシナリオがますます多くなっている。例えば、学生ユーザのアプリケーションシナリオにおいて、モバイル端末は、充電中に宿題をダウンロードする。会議システムのアプリケーションシナリオでは、モバイル端末は充電中に使用されるか、またはモバイル端末は充電中にＵＳＢフラッシュドライブ、プリンタなどに接続される。モバイル端末が充電中にデータ伝送を行うという問題を解決するために、図１に示すＹ字形ケーブルを市場に投入する。図１において、１はタイプＡのメスコネクタであり、周辺デバイスに接続するために使用され、２はマイクロＢのオスコネクタであり、モバイル端末に接続するために使用され、３はタイプＡのオスコネクタであり、電源アダプタに接続するために使用される。この場合、モバイル端末に電源アダプタと周辺デバイスを同時に接続することにより、モバイル端末が充電中のデータ伝送をサポートすることができる。しかしながら、Ｙ字形ケーブルは、次の理由で安全上の問題がある：Ｙ字形ケーブルのインターフェース２をモバイル端末に挿入した後、モバイル端末はＵＳＢ＿ＩＤポートがグラウンドされていることを検知し、Ｙ字形ケーブルのインターフェース２のＶＢＵＳに逆電源を供給するようにバッテリを制御し、モバイル端末の充電器が（モバイル端末は外部に電源を供給する）ＢＯＯＳＴモードに入る；Ｙ字形ケーブルのインターフェース３がアダプタに挿入されると、モバイル端末の充電器は（アダプタがモバイル端末に電力を供給する）ＢＵＣＫモードに入る。端末の充電器が同時にＢＯＯＳＴモードとＢＵＣＫモードにあるときは、充電器が異常になり、これにより電池が過充電になり、モバイル端末の電池を破損することがある。Ｙ字形ケーブルの安全性の問題から、Ｙ字形ケーブルは、モバイル電話やタブレット端末などのモバイル端末製品には現在広く使用されていない。モバイル端末における充電とデータ伝送の両方を安全にサポートする方法は、解決されるべき緊急の問題である。
【発明の概要】
【０００３】
第１の態様によれば、本発明の一実施形態は、第１のインターフェース、第２のインターフェース、第１の配置検出回路、第２の配置検出回路、データ検出回路、プロセッサ、スイッチ回路、およびバッテリを含むモバイル端末を提供する。第１のインターフェースは、第１の配置検出回路に電気的に接続され、第２のインターフェースは、第２の配置検出回路に電気的に接続され、データ検出回路は、第１のインターフェース及び第２のインターフェースに電気的に接続される。第１の配置検出回路、第２の配置検出回路、およびデータ検出回路は、さらに、プロセッサに電気的に接続され、プロセッサは、スイッチ回路に電気的に接続され、スイッチ回路は、第１のインターフェース、第２のインターフェース、およびバッテリに電気的に接続される。第１のインターフェースおよび第２のインターフェースは、周辺デバイスに接続するように構成される。第１の配置検出回路及び第２の配置検出回路は、周辺デバイスがモバイル端末に接続されているか否かを検出するように構成される。データ検出回路は、周辺デバイスがモバイル端末とデータをやりとりするか否かを検出するように構成される。プロセッサは、第１の配置検出回路、第２の配置検出回路、およびデータ検出回路の検出結果に基づいてスイッチ回路を制御するように構成される。スイッチ回路は、バッテリまたはプロセッサに別々に伝導される第１のインターフェースおよび第２のインターフェースを制御するように構成される。
【０００４】
従って、本願の実施形態で提供されるモバイル端末によれば、モバイル端末にインターフェースを追加し、モバイル端末にスイッチ回路を追加し、スイッチ回路のスイッチ状態に基づいて充電経路及びデータ伝送経路を調整する。このように、モバイル端末は、安全性を確保しつつ、充電とデータ伝送を同時にサポートすることができ、これは、モバイル端末においては、充電とデータ伝送を同時に安全に行うことができないという問題を解決する。
【０００５】
特定の実施形態では、スイッチ回路は、第１のスイッチ、第２のスイッチ、第３のスイッチ、およびデータチャネルスイッチを含む。第１のスイッチの第１の端部は、第１のインターフェースの電力ポートに電気的に接続され、第１のスイッチの第２の端部は、バッテリに電気的に接続され、第１のスイッチの制御端部は、プロセッサの第１の出力端部に電気的に接続される。第２のスイッチの第１の端部は、第２のインターフェースの電力ポートに電気的に接続され、第２のスイッチの第２の端部は、バッテリに電気的に接続され、第２のスイッチの制御端部は、プロセッサの第２の出力端部に電気的に接続される。第３のスイッチの第１の端部は、第１のインターフェースの電力ポートに電気的に接続され、第３のスイッチの第２の端部は、第２のインターフェースの電力ポートに電気的に接続され、第３のスイッチの制御端部は、プロセッサの第３の出力端部に電気的に接続される。データチャネルスイッチの制御端部は、プロセッサの第４の出力端部に電気的に接続され、データチャネルスイッチの第１の端部は、第１のインターフェースのデータ端部に電気的に接続され、データチャネルスイッチの第２の端部は、第２のインターフェースのデータ端部に電気的に接続され、データチャネルスイッチの第３の端部は、プロセッサのデータポートに電気的に接続される。
【０００６】
従って、４つのスイッチを含むスイッチ回路がモバイル端末に追加された後、プロセッサは、スイッチ回路を柔軟に制御することができ、それにより、第１のインターフェース及び第２のインターフェースは、バッテリ又はプロセッサに別々に導通される。このように、モバイル端末は、安全性を確保しつつ、充電とデータ伝送を同時にサポートすることができ、モバイル端末において充電とデータ伝送を同時に安全に行うことができないという問題を解決する。
【０００７】
具体的な実施形態では、周辺デバイスは、電源アダプタまたはＯＴＧデバイスを含む。電源アダプタが第１のインターフェースに接続され、ＯＴＧデバイスが第２のインターフェースに接続される場合、プロセッサは、データチャネルスイッチの第２の端部および第３の端部が導通されるように、第１のスイッチを閉じ、第２のスイッチを開き、第３のスイッチ閉じるように制御するように、具体的に構成されるか、またはデータチャネルスイッチの第２の端部および第３の端部が実施されるように、第１のスイッチを閉じ、第２のスイッチを閉じ、第３のスイッチを開くように制御するように、構成される。
【０００８】
具体的な実施形態では、周辺デバイスは、電源アダプタまたはＯＴＧデバイスを含む。電源アダプタが第２のインターフェースに接続され、ＯＴＧデバイスが第１のインターフェースに接続される場合、プロセッサは、データチャネルスイッチの第１の端部および第３の端部が導通されるように、第１のスイッチを閉じ、第２のスイッチを閉じ、第３のスイッチを開くように制御するように具体的に構成されるか、またはデータチャネルスイッチの第１の端部および第３の端部が導通されるように、第１のスイッチを閉じ、第２のスイッチを開き、第３のスイッチを閉じるように制御するように具体的に構成される。
【０００９】
具体的な実施形態では、周辺デバイスは、電源アダプタまたはパーソナルコンピュータを含む。最初に電源アダプタが第１のインターフェースに接続され、次いでパーソナルコンピュータが第２のインターフェースに接続される場合、プロセッサは、データチャネルスイッチの第２の端部および第３の端部が導通されるように、第１のスイッチを閉じ、第２のスイッチおよび第３のスイッチを開くように制御するように具体的に構成される。あるいは、パーソナルコンピュータが最初に第２のインターフェースに接続され、その後、電源アダプタが第１のインターフェースに接続される場合、プロセッサは、データチャネルスイッチの第２の端部および第３の端部が導通されるように、第１のスイッチを開き、第２のスイッチを閉じ、第３のスイッチを開くように制御するように具体的に構成される。
【００１０】
具体的な実施形態では、周辺デバイスは、電源アダプタまたはパーソナルコンピュータを含む。最初に電源アダプタが第２のインターフェースに接続され、次いでパーソナルコンピュータが第１のインターフェースに接続される場合、プロセッサは、データチャネルスイッチの第１の端部および第３の端部が導通されるように、第１のスイッチを開き、第２のスイッチを閉じ、第３のスイッチを開くように制御するように具体的に構成される。あるいは、最初にパーソナルコンピュータが第１のインターフェースに接続され、次いで電源アダプタが第２のインターフェースに接続される場合、プロセッサは、データチャネルスイッチの第１の端部および第３の端部が導通されるように、第１のスイッチを閉じ、第２のスイッチおよび第３のスイッチを開くように制御するように具体的に構成される。
【００１１】
種々のスイッチ状態の前述の組み合わせは、モバイル端末が異なる状況において充電とデータ伝送を同時にサポートすることを可能にし、それにより、モバイル端末において充電とデータ伝送を同時に安全に行うことができないという問題を解決する。
【００１２】
具体的な実施形態では、モバイル端末は、さらにメモリを含み、このメモリは、スイッチ回路のスイッチ状態と、第１のインポジション検出回路、第２のインポジション検出回路、およびデータ検出回路の検出結果との間の対応を記憶するように構成される。
【００１３】
具体的な実施形態では、プロセッサは、第１の配置検出回路、第２の配置検出回路、およびデータ検出回路の対応および検出結果に基づいて、スイッチ回路のスイッチ状態を制御するように具体的に構成される。
【００１４】
メモリに対応を記憶することにより、プロセッサは、検出結果に基づいて対応を問い合わせることによってスイッチ回路のスイッチ状態を知ることができ、それにより、単にスイッチ回路の制御を完了し、モバイル端末において充電とデータ伝送を同時に安全に行うことができないという問題を解決することができる。
【００１５】
特定の実施形態では、第１のインターフェースおよび第２のインターフェースは、同じポートを含む。従って、２つのインターフェースはランダムに使用されてもよく、すなわち、いずれかのインターフェースを使用することによって、充電およびデータ伝送を完了することができる。
【００１６】
具体的な実施形態では、第１のインターフェースおよび第２のインターフェースは、ＶＢＵＳ、Ｄ＋、Ｄ−、ＵＳＢ＿ＩＤ、およびグラウンドを含む。
【００１７】
具体的な実施形態では、第１のインターフェースまたは第２のインターフェースはＵＳＢマイクロＢインターフェースである。
【００１８】
特定の実施形態では、第１のインターフェースまたは第２のインターフェースは、ＰＯＧＯ  ＰＩＮインターフェースである。
【００１９】
具体的な実施形態では、モバイル端末はさらにベースを含み、ベースはＰＯＧＯ  ＰＩＮインターフェースに接続され、ＰＯＧＯ  ＰＩＮインターフェースをＵＳＢマイクロＢインターフェースに変換する。そのため、ベースを使用することにより、モバイル端末はＵＳＢマイクロＢインターフェースをサポートし、ＵＳＢマイクロＢインターフェースを有する周辺デバイスの接続要件を満たすことが可能となる。
【００２０】
具体的な実施形態では、モバイル端末はさらにベースを含み、ベースはＰＯＧＯ  ＰＩＮインターフェースに接続され、ＰＯＧＯ  ＰＩＮインターフェースをタイプＡインターフェースに変換する。従って、ベースを使用することにより、モバイル端末は、タイプＡインターフェースをサポートし、タイプＡインターフェースを有する周辺デバイスの接続要件を満たすことが可能となる。
【００２１】
従って、ベースを使用することにより、モバイル端末は、異なるより多様化したインターフェースタイプをサポートし、異なるインターフェースを有する周辺デバイスの接続要件を満たすことが可能となる。
【００２２】
特定の実施形態では、周辺デバイスが第１のインターフェースまたは第２のインターフェースから取り外される場合、プロセッサは、周辺デバイスが挿入されたときに閉じるように制御されていたスイッチを開くように制御するように特別に構成される。このようにして、モバイル端末の第１のインターフェースまたは第２のインターフェースは、時間内にバッテリから切断することが可能となり、それによってモバイル端末の安全性が向上する。
【００２３】
具体的な実施形態では、電源アダプタが第１のインターフェースから取り外された場合、プロセッサは、周辺デバイスが挿入された時に、閉じるように制御されていた第１のスイッチを開くように制御するように具体的に構成される。このようにして、第１のインターフェースとバッテリとの間の経路は切断され、これは、第１のインターフェースを通って電流が流れないことを保証し、それによって、モバイル端末の安全性を改善する。
【００２４】
特定の実施形態では、ＯＴＧデバイスが第２のインターフェースから取り外される場合、プロセッサは、閉じられた第２のスイッチを開くように制御するか、閉じられた第３のスイッチを開くように制御するように特に構成される。このようにして、第２のインターフェースとバッテリとの間の経路は切断され、これは、第２のインターフェースを通って電流が流れないことを保証し、それによって、モバイル端末の安全性を改善する。
【図面の簡単な説明】
【００２５】
【図１】従来技術におけるＹ字形ケーブルを示す；
【図２】本出願の一実施形態によるモバイル端末の構造ブロック図である；
【図３Ａ】本出願の一実施形態によるモバイル端末の詳細な回路図（ＰＯＧＯ  ＰＩＮインターフェース）である；
【図３Ｂ】本出願の一実施形態によるモバイル端末の別の詳細な回路図（マイクロＢインターフェース）である；
【図３Ｃ】本出願の一実施形態によるモバイル端末の（ベースを有する）さらに別の詳細な回路図である；
【図４Ａ】本出願の一実施形態によるモバイル端末のシナリオ１の詳細な回路図である（第１のインターフェースが電源アダプタに接続され、第２のインターフェースがＯＴＧデバイスに接続される）；
【図４Ｂ】本出願の一実施形態によるモバイル端末のシナリオ１の別の詳細な回路図である（第１のインターフェースが電源アダプタに接続され、第２のインターフェースがＯＴＧデバイスに接続される）；
【図５Ａ】本出願の一実施形態によるモバイル端末のシナリオ２の詳細な回路図である（第２のインターフェースは、電源アダプタに接続され、第１のインターフェースは、ＯＴＧデバイスに接続される）；
【図５Ｂ】本出願の一実施形態による、モバイル端末のシナリオ２の別の詳細な回路図である（第２のインターフェースは、電源アダプタに接続され、第１のインターフェースは、ＯＴＧデバイスに接続される）；
【図６Ａ】本出願の一実施形態によるモバイル端末のシナリオ３の詳細な回路図である（第１のインターフェースが電源アダプタに接続され、第２のインターフェースがパーソナルコンピュータに接続される）；
【図６Ｂ】本出願の一実施形態によるモバイル端末のシナリオ３の別の詳細な回路図である（第１のインターフェースが電源アダプタに接続され、第２のインターフェースがパーソナルコンピュータに接続される）；
【図７Ａ】本出願の一実施形態によるモバイル端末のシナリオ４の詳細な回路図である（第２のインターフェースが電源アダプタに接続され、第１のインターフェースがパーソナルコンピュータに接続される）；
【図７Ｂ】本出願の一実施形態による、モバイル端末のシナリオ４の別の詳細な回路図である（第２のインターフェースは、電源アダプタに接続され、第１のインターフェースは、パーソナルコンピュータに接続される）；
【図８Ａ】本出願の一実施形態に係るモバイル端末のシナリオ５の詳細な回路図である（第１のインターフェースのみがＯＴＧデバイスに接続される）。
【図８Ｂ】本出願の一実施形態によるモバイル端末のシナリオ５の別の詳細な回路図である（第２のインターフェースのみがＯＴＧデバイスに接続される）。
【発明を実施するための形態】
【００２６】
以下に、本発明の実施形態における技術的解決策を、本発明の実施形態における添付図面を参照して明確に説明する。記載された実施形態は、本発明の実施形態の一部に過ぎず、すべてではないことは明らかである。創造的努力なしに、本発明の実施形態に基づいて当業者が取得する他の実施形態はすべて、本発明の保護範囲に含まれるものである。
【００２７】
本発明の実施形態で使用される用語は、単に特定の実施形態を説明するためのものであり、本発明を限定するものではない。本発明の実施形態および添付の特許請求の範囲で使用される「ａ」、「ｓａｉｄ」および「ｔｈｅ」という用語は、文脈において明確に別段の規定がない限り、複数の形態を含むことも意図している。また、言うまでもなく本明細書で使用される「および／または」という用語は、１つ以上の関連するリストされたアイテムの任意のまたは全ての可能な組み合わせを示し、それらを含む。言うまでもなく、本明細書で採用される「含む」という用語は、特徴、整数、ステップ、動作、要素および／または構成要素が、他の特徴、整数、ステップ、動作、構成要素とともに存在すること、又はそれらに付随することを、及びそれらの組み合わせは除外されないことを示す。
【００２８】
言うまでもなく、本発明の実施形態において、用語「第１」および「第２」を、インターフェースを記述するために使用し、用語「第１」、「第２」および「第３」を、スイッチを記述するために使用するが、これらのインターフェースおよびスイッチは、これらの用語に限定されるべきではない。これらの用語は、異なるインターフェースを互いに区別し、異なるスイッチを互いに区別するためにのみ使用される。例えば、本発明の実施形態の範囲から逸脱することなく、第１のインターフェースを第２のインターフェースと呼んでもよく、同様に、第２のインターフェースを第１のインターフェースと呼んでもよく、第１のスイッチを第２のスイッチと呼んでもよく、同様に、第２のスイッチを第１のスイッチと読んでもよい。ここには詳細は記載しない。
【００２９】
図２は、本出願の一実施形態によるモバイル端末の構造ブロック図である。モバイル端末は、第１のインターフェース１０、第２のインターフェース２０、第１の配置検出回路１１、第２の配置検出回路２１、データ検出回路１２、プロセッサ３０、スイッチ回路４０、およびバッテリ５０を含む。第１のインターフェース１０は、第１の配置検出回路１１に電気的に接続され、第２のインターフェース２０は、第２の配置検出回路２１に電気的に接続され、データ検出回路１２は、第１のインターフェース１０及び第２のインターフェース２０に電気的に接続される。第１の配置検出回路１１、第２の配置検出回路２１、およびデータ検出回路１２は、さらにプロセッサ３０に電気的に接続され、プロセッサ３０は、スイッチ回路４０に電気的に接続され、スイッチ回路４０は、第１のインターフェース１０、第２のインターフェース２０、およびバッテリ５０に電気的に接続される。第１のインターフェース１０及び第２のインターフェース２０は、周辺デバイスに接続するように構成される。第１の配置検出回路１１及び第２の配置検出回路２１は、周辺デバイスがモバイル端末に接続されているか否かを検出するように構成されている。データ検出回路１２は、周辺デバイスがモバイル端末とデータを交換するか否かを検出するように構成されている。プロセッサ３０は、第１の配置検出回路１１、第２の配置検出回路２１、およびデータ検出回路１２の検出結果に基づいてスイッチ回路４０を制御するように構成される。スイッチ回路４０は、第１のインターフェース１０及び第２のインターフェース２０がバッテリ５０又はプロセッサ４０に別々に導通されることを可能にするように構成される。
【００３０】
留意点として、第１のインターフェース１０及び第２のインターフェース２０は、周辺デバイスに接続するように構成されている。周辺デバイスは、モバイル端末を充電したり、モバイル端末とデータをやりとりしたりする装置であり、充電器、ＯＴＧ  （Ｏｎ−Ｔｏ−Ｇｏ）デバイス、パーソナルコンピュータなどを含むことができる。ＯＴＧデバイスは、モバイル端末とデータを交換し、モバイル端末によって給電される必要があるデバイス、例えば、ＵＳＢフラッシュドライブ、プリンタ、またはカメラであってもよい。第１のインターフェース１０および第２のインターフェース２０は、同じポートを含む。従って、第１のインターフェース１０及び第２のインターフェース２０は、モバイル端末において同じ役割又は機能を有する。例えば、第１のインターフェース１０及び第２のインターフェース２０は、ＶＢＵＳ、Ｄ＋、Ｄ−、ＵＳＢ＿ＩＤ、及びグラウンドを含む。具体的には、第１のインターフェース１０と第２のインターフェース２０の両方が充電とデータ伝送をサポートし、ユーザは、充電またはデータ伝送を行うために２つのインターフェースのいずれかをランダムに使用することができる。モバイル端末で充電とデータ伝送を同時に行う必要がある場合、２つのインターフェースを同時に使用してもよい。第１のインターフェース１０と第２のインターフェース２０との違いは、第１のインターフェース１０と第２のインターフェース２０は、異なる物理的外観を有してもよく、モバイル端末内の異なる位置にあってもよいということである。使用されるインターフェースの特定のタイプの物理的外観及びモバイル端末内の位置は、実際の製品設計要件に従って決定される必要がある。これは、本発明のこの実施形態において特に限定されない。例えば、第１のインターフェース１０はＵＳＢマイクロＢインターフェースであり、第２のインターフェース２０はＰＯＧＯ  ＰＩＮインターフェースであり、または第１のインターフェース１０はＵＳＢマイクロＢインターフェースであり、第２のインターフェース２０はＵＳＢマイクロＢインターフェースである。第１のインターフェース１０及び第２のインターフェース２０は、モバイル端末の異なる側に配置され、第１のインターフェース１０及び第２のインターフェース２０は、モバイル端末の同じ側に配置されてもよい。
【００３１】
なお、スイッチ回路４０は、第１のインターフェース１０及び第２のインターフェース２０をバッテリ５０又はプロセッサ４０に別々に導通させることができるように構成されている。具体的には、第１のインターフェースがバッテリに導通され、第２のインターフェースがプロセッサに導通されるか、第１のインターフェースがプロセッサに導通され、第２のインターフェースがバッテリに導通されることにより、モバイル端末は充電とデータ伝送を同時にサポートすることができる。
【００３２】
本発明のこの実施形態で提供されるモバイル端末によれば、モバイル端末にインターフェースを追加し、モバイル端末にスイッチ回路を追加し、スイッチ回路のスイッチ状態に基づいて充電経路及びデータ伝送経路を調整する。このように、モバイル端末は、安全性を確保しつつ、充電とデータ伝送を同時にサポートすることができ、これは、モバイル端末において充電とデータ伝送を同時に安全に行うことができないという問題を解決する。
【００３３】
図３Ａは、本出願の一実施形態によるモバイル端末の詳細な回路図である。以下では、第１のインターフェース１０がＵＳＢマイクロＢであり、第２のインターフェース２０がＰＯＧＯ  ＰＩＮインターフェースである例を用いて、詳細な説明を行う。図１と同じ部分については、図１の説明を参照されたい。本出願のこの実施態様においては、図１とは異なる部分のみについて説明する。
【００３４】
図３Ａに示すように、第１のインターフェース１０のＶＢＵＳ＿１は、第１の配置検出回路１１に電気的に接続される。第２のインターフェース２０のＶＢＵＳ＿２は、第２の配置検出回路２１に電気的に接続されている。データ検出回路１２は、第１のインターフェース１０のＵＳＢ＿ＩＤと、第２のインターフェース２０のＵＳＢ＿ＩＤとに電気的に接続される。第１の配置検出回路１１は、プロセッサ３０の第１の入力端部３０１１に電気的に接続される。第２の配置検出回路２１は、プロセッサ３０の第１の入力端部３０１２に電気的に接続される。データ検出回路１２は、プロセッサ３０の第３の入力端部３０１３に電気的に接続される。
【００３５】
スイッチ回路４０は、第１のスイッチＱ１と、第２のスイッチＱ２と、第３のスイッチＱ３と、データチャネルスイッチＳ１とを含む。
【００３６】
第１のスイッチＱ１の第１の端部４０１１は、第１のインターフェース１０の電力ポートＶＢＵＳ＿１に電気的に接続され、第１のスイッチＱ１の第２の端部４０１２は、バッテリ５０に電気的に接続され、第１のスイッチＱ１の制御端部４０１３は、プロセッサ３０の第１の出力端部３０２１に電気的に接続される。
【００３７】
第２のスイッチＱ２の第１の端部４０２１は、第２のインターフェース２０の電力ポートＶＢＵＳ＿２に電気的に接続され、第２のスイッチＱ２の第２の端部４０２２は、バッテリ５０に電気的に接続され、第２のスイッチＱ２の制御端部４０２３は、プロセッサ３０の第２の出力端部３０２２に電気的に接続される。
【００３８】
第３のスイッチＱ３の第１の端部４０３１は、第１のインターフェース１０の電力ポートＶＢＵＳ＿１に電気的に接続され、第３のスイッチＱ３の第２の端部４０３２は、第２のインターフェース２０の電力ポートＶＢＵＳ＿２に電気的に接続され、第３のスイッチＱ３の制御端部４０３３は、プロセッサ３０の第３の出力端部３０２３に電気的に接続される。
【００３９】
データチャネルスイッチＳ１の制御端部Ｓ１３は、プロセッサ３０の第４の出力端部３０２４に電気的に接続される。データチャネルスイッチＳ１は、第１の端部と、第２の端部と、第３の端部とを含み、データチャネルスイッチＳ１の第１の端部（Ｓ１１１、Ｓ１１２）は、第１のインターフェースのデータ端部（Ｄ＋、Ｄ−）に電気的に接続され、データチャネルスイッチＳ１の第２の端部（Ｓ１２１、Ｓ１２２）は、第２のインターフェースのデータ端部（Ｄ＋、Ｄ−）に電気的に接続され、データチャネルスイッチＳ１の第３の端部（Ｓ１４１、Ｓ１４２）は、プロセッサのデータポート（Ｄ＋、Ｄ−）に電気的に接続される。具体的には、Ｓ１１１は、第１のインターフェース１０のＤ＋に電気的に接続され、Ｓ１１２は、第１のインターフェース１０のＤ−に電気的に接続され、Ｓ１２１は、第２のインターフェース２０のＤ＋に電気的に接続され、Ｓ１２２は、第２のインターフェース２０のＤ−に電気的に接続され、Ｓ１４１は、プロセッサ３０のＤ＋に電気的に接続され、Ｓ１４２は、プロセッサ３０のＤ−に電気的に接続される。
【００４０】
なお、第１の配置検出回路及び第２の配置検出回路は、従来技術の検出回路及び検出方法を用いており、本明細書では、その詳細については説明しない。データ検出回路は、周辺デバイスがモバイル端末とデータをやりとりするか否かを検出するように構成される。例えば、データ検出回路はＵＳＢ＿ＩＤ配置検出回路であってもよい。図３に示すように、最初に、データチャネルスイッチＳ１は、デフォルトで、第１のインターフェース１０およびプロセッサ３０を導通する（Ｓ１では、Ｓ１１１ポートおよびＳ１４１ポートが導通され、Ｓ１１２ポートおよびＳ１４２ポートが導通される）。第１のインターフェース１０のＵＳＢ＿ＩＤポートと、第２のインターフェース２０のＵＳＢ＿ＩＤポートとは、接続され、ＵＳＢ＿ＩＤ配置検出回路に電気的に接続される。どのインターフェースがＯＴＧデバイスに接続されているかにかかわらず、ＵＳＢ＿ＩＤポートはプルダウンされ、割り込みをトリガする。プロセッサは、データポート（Ｄ＋、Ｄ−）を使用してＵＳＢデバイスを識別する。インターフェースを介してデータが送信されていない場合、Ｓ１のスイッチ状態（Ｓ１では、Ｓ１２１ポートおよびＳ１４１ポートが導通され、Ｓ１２２ポートおよびＳ１４２ポートが導通される）が切り替わり、プロセッサと他のインターフェースとの間のデータ経路が導通される。データが送信される場合、Ｓ１のスイッチ状態は変わらない（Ｓ１では、Ｓ１のＳ１１１ポートとＳ１４１ポートが導通したままであり、Ｓ１のＳ１１２ポートとＳ１４２ポートは導通したままである）。すなわち、プロセッサと現在のインターフェースとの間のデータ経路は、通常のデータ伝送を実行するために残される。Ｓ１のデフォルト状態は、第１のインターフェース１０および第２のインターフェース２０のタイプに基づいて設定されてもよい。セキュリティのために、マイクロＢインターフェースおよびプロセッサは、好ましくは、デフォルトで導通される。両方のインターフェースがマイクロＢインターフェースである場合、インターフェースのうちの１つをランダムに選択することができる。
【００４１】
図３Ａに示すように、第１のインターフェース１０はＵＳＢマイクロＢインターフェースであってよく、第２のインターフェースはＰＯＧＯ  ＰＩＮインターフェースであってよく、図３Ｂに示すように、第１のインターフェース１０および第２のインターフェースは両方ともＵＳＢマイクロＢインターフェースであってよく、または図３Ｃに示すように、ベースは、図３ＡのＰＯＧＯ  ＰＩＮインターフェースをマイクロＢインターフェースに変換するアダプタとして使用される。また、モバイル端末は、ベースを使用することによってＰＯＧＯ  ＰＩＮインターフェースに接続されてもよく、ＰＯＧＯ  ＰＩＮインターフェースを、図には示されていないタイプＡインターフェースに変換してもよい。モバイル端末の２つのインターフェースが周辺デバイスの接続要件を満たすことができない場合、異なるインターフェースの要件を満たすように、モバイル端末のインターフェースを必要なインターフェースに変換するために、モバイル端末に対してベースのような変換器を構成することができる。
【００４２】
図３Ａに示すように、第１のインターフェース１０と第２のインターフェース２０の５つのポートは、別々に、ＶＢＵＳ、Ｄ＋、Ｄ−、ＵＳＢ＿ＩＤ、およびグラウンドである。第２のインターフェース２０はＰＯＧＯ  ＰＩＮインターフェースである。周辺デバイスは、第２インターフェースに接続する際にケーブルを使用する必要がないため、ＰＯＧＯ  ＰＩＮインターフェースを使用することにより、モバイル端末の第２のインターフェースに直接接続することができる。例えば、モバイル端末は、２−ｉｎ−１ノートブック・コンピュータの本体部分であり、本体部分は、ＰＯＧＯ  ＰＩＮインターフェースを使用することによってキーボードに接続されてもよい。そのため、ユーザはモバイル端末を使用する方が便利である。モバイル端末がさらにＵＳＢマイクロＢインターフェースをサポートする必要がある場合、Ｐｏｇｏ  Ｐｉｎインターフェースは、ベースを使用することによってＵＳＢマイクロＢインターフェースに変換され得、ベースはモバイル端末に対するサポートの役割を果たし得る。
【００４３】
周辺デバイスは、電源アダプタ、ＯＴＧデバイス、パーソナルコンピュータ等を含む。以下では、本発明の本実施形態におけるスイッチ回路が、モバイル端末の第１のインターフェースおよび第２のインターフェースに周辺デバイスが挿入されるいくつかの場合にどのように動作するかについて説明する。
【００４４】
図４Ａ及び図４Ｂは、本出願の一実施形態によるモバイル端末のシナリオ１の詳細な回路図である。電源アダプタは第１のインターフェースに接続され、ＯＴＧデバイスは第２のインターフェースに接続される。したがって、第１の配置検出回路の検出結果が配置済みであり、第２の配置検出回路の検出結果が未配置であり、データ検出回路の検出結果が配置済みである。プロセッサは、第１のスイッチを閉じ、第２のスイッチを開き、第３のスイッチを閉じるように制御するように特に構成され、その結果、データチャネルスイッチの第２の端部と第３の端部が導通される。図４Ａでは、斜線で示す矢印で表される経路が充電電流経路であり、黒いの矢印で示す経路がデータ伝送経路である。あるいは、プロセッサは、第１のスイッチを閉じ、第２のスイッチを閉じ、第３のスイッチを開くように制御して、データチャネルスイッチの第２の端部と第３の端部が導通される。図４Ｂでは、斜線で示す矢印で表される経路が充電電流経路であり、黒いの矢印で表される経路がデータ伝送経路である。
【００４５】
留意点として、図４Ａおよび図４Ｂの周辺デバイスの接続方法において、電源アダプタが取り外されると、プロセッサは、第１のスイッチを開くように制御するように特に構成される。図４Ｂに示す場合、第１のスイッチが開くように制御された後、モバイル端末は、影響を受けることなく、ＯＴＧデバイスを充電し続けることができる。ＯＴＧデバイスが取り外されると、図４Ａに示す場合、プロセッサは、第３のスイッチを開くように制御するように特に構成され、図４Ｂに示す場合、プロセッサは、第２のスイッチを開くように制御するように特に構成される。
【００４６】
図５Ａ及び図５Ｂは、本出願の一実施形態によるモバイル端末のシナリオ２の詳細な回路図である。電源アダプタは第２のインターフェースに接続され、ＯＴＧデバイスは第１のインターフェースに接続される。したがって、第１の配置検出回路の検出結果が未配置であり、第２の配置検出回路の検出結果が配置済みであり、データ検出回路の検出結果が配置済みである。プロセッサは、データチャネルスイッチの第１の端部および第３の端部が導通されるように、第１のスイッチを閉じ、第２のスイッチを閉じ、第３のスイッチを開くように制御するように特に構成され、図５Ａにおいて、斜線で示す矢印によって表される経路は充電電流経路であり、黒い矢印によって表される経路はデータ伝送経路である。あるいは、プロセッサは、データチャネルスイッチの第１の端部および第３の端部が導通されるように、第１のスイッチを閉じ、第２のスイッチを開き、第３のスイッチを閉じるように制御するように特に構成され、図５Ｂでは、斜線で示す矢印によって表される経路は充電電流経路であり、黒い矢印によって表される経路はデータ伝送経路である。
【００４７】
留意点として、図５Ａおよび図５Ｂの周辺デバイスの接続方法において、電源アダプタが取り外されると、プロセッサは、図５Ａに示される場合に、第３のスイッチを開くように制御するように特に構成され、プロセッサは、図５Ｂに示される場合に、第２のスイッチを開くように制御するように特に構成される。ＯＴＧデバイスが取り外されると、プロセッサは、図５Ａに示される場合に、処理を実行する必要はなく、プロセッサは、図５Ｂに示される場合に、第１のスイッチを開くように制御するように特に構成される。
【００４８】
図６Ａ及び図６Ｂは、本出願の一実施形態によるモバイル端末のシナリオ３の詳細な回路図である。電源アダプタとパーソナルコンピュータは両方ともモバイル端末を充電することができる。従って、第１の配置検出回路及び第２の配置検出回路の検出結果は両方とも配置済みである。電源アダプタとパーソナルコンピュータの両方がモバイル端末を充電すると、競合が発生する。従って、プロセッサは、最初にモバイル端末に接続される周辺デバイスを用いてモバイル端末に充電することが好ましい。また、パーソナルコンピュータがモバイル端末に接続されるインターフェースにはＵＳＢ＿ＩＤポートが存在しないため、データ検出回路の検出結果は未配置である。ただし、この場合、パーソナルコンピュータはホストであり、モバイル端末と直接データをやりとりすることがある。従って、パーソナルコンピュータがデフォルトで導通されるポートに接続されている場合、パーソナルコンピュータとモバイル端末との間でデータ伝送が行われる可能性がある。デフォルトでは導通されていないポートにパーソナルコンピュータが接続されている場合、パーソナルコンピュータとモバイル端末の間でデータ通信を行うことはできない。
【００４９】
電源アダプタが最初に第１のインターフェースに接続され、次いでパーソナルコンピュータが第２のインターフェース（デフォルトでは導通されないインターフェース）に接続される場合、プロセッサは、第１のスイッチを閉じ、第２のスイッチおよび第３のスイッチを開くように制御するように特に構成される。図６Ａにおいて、斜線で示す矢印によって表される経路は、充電電流経路である。デフォルトでは導通されていない第２のインターフェースにパーソナルコンピュータが接続され、パーソナルコンピュータとモバイル端末間でデータ通信を実行することはできない。従って、黒い矢印によって表される経路によって識別されるデータ伝送経路は存在しない。すなわち、アダプタのみが充電を行い、データ伝送は実行されない。あるいは、
パーソナルコンピュータが最初に第２のインターフェース（デフォルトでは導通されないインターフェース）に接続され、その後、電源アダプタが第１のインターフェースに接続される場合、プロセッサは、第１のスイッチが開かれ、第２のスイッチが閉じられ、第３のスイッチが開かれるように制御するように特に構成される。図６Ｂにおいて、斜線で示す矢印によって表される経路は、充電電流経路である。デフォルトでは導通されない第２のインターフェースにパーソナルコンピュータが接続され、パーソナルコンピュータとモバイル端末間でデータ通信を行うことはできない。従って、黒い矢印によって表される経路によって識別されるデータ伝送経路は存在しない。すなわち、パーソナルコンピュータのみが充電を行い、データ伝送は行われない。
【００５０】
留意点として、図６Ａおよび図６Ｂの周辺デバイスの接続方法において、電源アダプタが取り外されると、プロセッサは、図６Ａに示される場合に、第１のスイッチを開くように制御するように特に構成され、プロセッサは、図６Ｂに示される場合に、第２のスイッチを開くように制御するように特に構成される。
【００５１】
図７Ａ及び図７Ｂは、本出願の一実施形態によるモバイル端末のシナリオ４の詳細な回路図である。電源アダプタは、最初に第２のインターフェースに接続され、次にパーソナルコンピュータは第１のインターフェース（デフォルトで導通されるインターフェース）に接続される。この場合、プロセッサは、第１のスイッチが開かれ、第２のスイッチが閉じられ、第３のスイッチが開かれ、データチャネルスイッチの第１の端部および第３の端部を導通するように制御するように特に構成される。図７Ａにおいて、斜線で示す矢印で表される経路は、充電電流経路であり、黒い矢印で表される経路は、データ伝送経路である。あるいは、
パーソナルコンピュータが最初に第１のインターフェース（デフォルトで導通されるインターフェース）に接続され、電源アダプタが第２のインターフェースに接続される場合、プロセッサは、第１のスイッチを閉じるように、第２のスイッチおよび第３のスイッチを開き、データチャネルスイッチの第１の端部および第３の端部を導通するように制御するように特に構成される。図７Ｂにおいて、斜線で示す矢印で表される経路は、充電電流経路であり、黒い矢印で表される経路は、データ伝送経路である。
【００５２】
留意点として、図７Ａおよび図７Ｂの周辺デバイスの接続方法において、電源アダプタが取り外されると、プロセッサは、図７Ａに示される場合に、第２のスイッチを開くように制御するように特に構成され、プロセッサは、図７Ｂに示される場合に、第１のスイッチを開くように制御するように特に構成される。ＯＴＧデバイスが取り外されると、プロセッサは、図７Ａに示される場合には、いかなる動作も実行する必要がなく、プロセッサは、図７Ｂに示される場合には、第１のスイッチを開くように制御するように構成される。
【００５３】
図８Ａは、本出願の一実施形態によるモバイル端末のシナリオ５の詳細な回路図である（第１のインターフェースのみがＯＴＧデバイスに接続される）。ＯＴＧデバイスは、第１のインターフェースに接続される。この場合、プロセッサは、第１のスイッチを閉じ、第２のスイッチを開き、第３のスイッチを開き、データチャネルスイッチの第１の端部と第３の端部を導通するように制御するように特に構成される。図８Ａにおいて、斜線で示す矢印で表される経路は、充電電流経路であり、黒い矢印で表される経路は、データ伝送経路である。
【００５４】
留意点として、図８Ａの周辺デバイスの接続方法において、ＯＴＧデバイスが取り外されると、プロセッサは、第１のスイッチを開くように制御するように構成される。
【００５５】
図８Ｂは、本出願の一実施形態によるモバイル端末のシナリオ５の別の詳細な回路図である（第２のインターフェースのみがＯＴＧデバイスに接続される）。ＯＴＧデバイスは、第２のインターフェースに接続されている。この場合、プロセッサは、第１のスイッチを開き、第２のスイッチを閉じ、第３のスイッチを開き、データチャネルスイッチの第２の端部および第３の端部を導通するように制御するように特に構成される。図８Ｂにおいて、斜線で示す矢印によって表される経路は、充電電流経路であり、黒い矢印によって表される経路は、データ伝送経路である。
【００５６】
留意点として、図８Ｂの周辺デバイスの接続方法において、ＯＴＧデバイスが取り外されると、プロセッサは、第２のスイッチを開くように制御するように構成される。
【００５７】
任意的に、モバイル端末は、さらにメモリを含み、このメモリは、スイッチ回路のスイッチ状態と、第１の配置検出回路、第２の配置検出回路、およびデータ検出回路の検出結果との間の対応を記憶するように構成される。例えば、対応は表１の形式で記憶され得る。プロセッサは、第１の配置検出回路、第２の配置検出回路、及びデータ検出回路の対応及び検出結果に基づいてスイッチ回路の状態を検索し、見つかったスイッチ回路の状態に基づいて、スイッチ回路を開くか閉じる制御をするように特に構成される。
【００５８】
【表１】
2021532484.tif 000003
留意点として、２つのＯＴＧデバイスがモバイル端末の第１のインターフェースと第２のインターフェースに挿入されている場合、１つのデータ伝送経路しかないため、１つのインターフェースのみで同時にデータ伝送を行うことができる。競合を回避するために、最初に挿入されるＯＴＧデバイスに対して最高の優先度を設定することができ、データチャネルスイッチＳ１は、プロセッサとＯＴＧデバイスが最初に挿入されたインターフェースとの間のデータチャネルを導通するように制御される。代替的に、２つのインターフェースとプロセッサとの間のデータチャネルは、２つのインターフェース上のデータがタイムシェアリング方式で送信されるように、タイムシェアリング方式で導通されてもよい。これは、本出願のこの実施態様において特に限定されない。
【００５９】
２つの電源アダプタがモバイル端末の第１のインターフェースと第２のインターフェースに挿入される場合、２つの配置検出回路は、両方とも、周辺デバイスが配置されていることを検出し、プロセッサは、最初に挿入された電源アダプタに対して最高の優先度を設定する。確かに、プロセッサは、後に挿入される電源アダプタのために、代替的に、最も高い優先度を設定することができる。これは、本出願のこの実施態様において特に限定されない。
【００６０】
モバイル端末の一方のインターフェースのみを使用する場合、スイッチ回路は、モバイル端末の安全性を確保するために、他方のインターフェースを通って電流が流れないように設定するように制御される必要がある。例えば、周辺デバイスは第１のインターフェースに挿入され、第２インターフェースには周辺デバイスは挿入されない。この場合、プロセッサは、第１のスイッチを閉じ、第２のスイッチおよび第３のスイッチを開くことに制御し、第２のインターフェースのＶＢＵＳ＿２を通って電流が流れないようにする。周辺デバイスは、第２のインターフェースに挿入され、第１のインターフェースには挿入されない。この場合、プロセッサは、第１のスイッチおよび第３のスイッチを開き、第２のスイッチを閉じるように制御し、第１のインターフェースのＶＢＵＳ＿１を通って電流が流れないようにする。
【００６１】
前述の説明は、本出願の単なる具体的な実装であるが、本出願の保護範囲を制限することを意図するものではない。本出願に開示された技術的範囲内で、当業者が容易に想到することができる変更又は代替は、本出願の保護範囲に含まれる。したがって、本願の保護範囲は、特許請求の範囲の保護範囲に従うものである。
【図１】
2021532484.tif 000004
【図２】
2021532484.tif 000005
【図３Ａ】
2021532484.tif 000006
【図３Ｂ】
2021532484.tif 000007
【図３Ｃ】
2021532484.tif 000008
【図４Ａ】
2021532484.tif 000009
【図４Ｂ】
2021532484.tif 000010
【図５Ａ】
2021532484.tif 000011
【図５Ｂ】
2021532484.tif 000012
【図６Ａ】
2021532484.tif 000013
【図６Ｂ】
2021532484.tif 000014
【図７Ａ】
2021532484.tif 000015
【図７Ｂ】
2021532484.tif 000016
【図８Ａ】
2021532484.tif 000017
【図８Ｂ】
2021532484.tif 000018
【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
モバイル端末であって、第１のインターフェース、第２のインターフェース、第１の配置検出回路、第２の配置検出回路、データ検出回路、プロセッサ、スイッチ回路、およびバッテリを含み、
前記第１のインターフェースが前記第１の配置検出回路に電気的に接続され、前記第２のインターフェースが前記第２の配置検出回路に電気的に接続され、前記データ検出回路が前記第１のインターフェース及び前記第２のインターフェースに電気的に接続され、前記第１の配置検出回路、前記第２の配置検出回路及び前記データ検出回路が前記プロセッサに電気的にさらに接続され、前記プロセッサが前記スイッチ回路に電気的に接続され、前記スイッチ回路が前記第１のインターフェース、前記第２のインターフェース及び前記バッテリに電気的に接続され、
前記第１のインターフェースおよび前記第２のインターフェースが周辺デバイスに接続するように構成され、
前記第１の配置検出回路及び前記第２の配置検出回路は、前記周辺デバイスが前記モバイル端末に接続されているか否かを検出するように構成され、
前記データ検出回路は、前記周辺デバイスが前記モバイル端末とデータを交換するか否かを検出するように構成され、
前記プロセッサは、前記第１の配置検出回路、前記第２の配置検出回路、および前記データ検出回路の検出結果に基づいて前記スイッチ回路を制御するように構成され、
前記スイッチ回路は、前記バッテリまたは前記プロセッサに別々に導通される前記第１のインターフェースおよび前記第２のインターフェースを制御するように構成される、
モバイル端末。
【請求項２】
前記スイッチ回路は、第１のスイッチと、第２のスイッチと、第３のスイッチと、データチャネルスイッチとを含み、
前記第１のスイッチの第１の端部が前記第１のインターフェースの電力ポートに電気的に接続され、前記第１のスイッチの第２の端部が前記バッテリに電気的に接続され、前記第１のスイッチの制御端部が前記プロセッサの第１の出力端部に電気的に接続され、
前記第２のスイッチの第１の端部が前記第２のインターフェースの電力ポートに電気的に接続され、前記第２のスイッチの第２の端部が前記バッテリに電気的に接続され、前記第２のスイッチの制御端部が前記プロセッサの第２の出力端部に電気的に接続され、
前記第３のスイッチの第１の端部が前記第１のインターフェースの電力ポートに電気的に接続され、前記第３のスイッチの第２の端部が前記第２のインターフェースの電力ポートに電気的に接続され、前記第３のスイッチの制御端部が前記プロセッサの第３の出力端部に電気的に接続され、
前記データチャネルスイッチの制御端部は、前記プロセッサの第４の出力端部に電気的に接続され、前記データチャネルスイッチの第１の端部は、前記第１のインターフェースのデータ端部に電気的に接続され、前記データチャネルスイッチの第２の端部は、前記第２のインターフェースのデータ端部に電気的に接続され、前記データチャネルスイッチの第３の端部は、前記プロセッサのデータポートに電気的に接続される、
請求項１に記載のモバイル端末。
【請求項３】
前記周辺デバイスが、電源アダプタまたはＯＴＧデバイスを含み、
前記電源アダプタが前記第１のインターフェースに接続され、前記ＯＴＧデバイスが前記第２のインターフェースに接続されている場合、前記プロセッサは、
前記データチャネルスイッチの前記第２の端部および前記第３の端部が導通されるように、前記第１のスイッチを閉じ、前記第２のスイッチを開き、前記第３のスイッチを閉じるように制御し、
前記データチャネルスイッチの前記第２の端部と前記第３の端部が導通されるように、前記第１のスイッチを閉じ、前記第２のスイッチを閉じ、前記第３のスイッチを開くように制御するように構成される、
請求項２に記載のモバイル端末。
【請求項４】
前記周辺デバイスが、電源アダプタまたはＯＴＧデバイスを含み、
前記電源アダプタが前記第２のインターフェースに接続され、前記ＯＴＧデバイスが前記第１のインターフェースに接続されている場合、プロセッサは、
前記データチャネルスイッチの前記第１の端部および前記第３の端部が導通されるように、前記第１のスイッチを閉じ、前記第２のスイッチを閉じ、前記第３のスイッチを開くように制御し、
前記データチャネルスイッチの前記第１の端部および前記第３の端部が導通されるように、前記第１のスイッチを閉じ、前記第２のスイッチを開き、前記第３のスイッチを閉じるように制御するように構成される、
請求項２に記載のモバイル端末。
【請求項５】
前記周辺デバイスは、電源アダプタまたはパーソナルコンピュータを含み、
最初に前記電源アダプタが前記第１のインターフェースに接続され、次に前記パーソナルコンピュータが前記第２のインターフェースに接続される場合、前記プロセッサは、前記第１のスイッチを閉じ、前記第２のスイッチと前記第３のスイッチを開くように制御するように構成され、または
最初に前記パーソナルコンピュータが前記第２のインターフェースに接続され、次に前記電源アダプタが前記第１のインターフェースに接続される場合、前記プロセッサは、前記第１のスイッチを開き、前記第２のスイッチを閉じ、前記第３のスイッチを開くように制御するように構成される、
請求項２に記載のモバイル端末。
【請求項６】
前記周辺デバイスは、電源アダプタまたはパーソナルコンピュータを含み、
最初に前記電源アダプタが前記第２のインターフェースに接続され、次に前記パーソナルコンピュータが前記第１のインターフェースに接続される場合、前記プロセッサは、前記第１のスイッチを開き、前記第２のスイッチを閉じ、前記第３のスイッチを開き、前記データチャネルスイッチの第１の端部と第３の端部を導通するよう制御するように構成され、または
最初に前記パーソナルコンピュータが前記第１のインターフェースに接続され、次に前記電源アダプタが前記第２のインターフェースに接続される場合、前記プロセッサは、前記第１のスイッチを閉じ、前記第２のスイッチおよび前記第３のスイッチを開き、前記データチャネルスイッチの第１の端部および第３の端部を導通するように制御するように構成される、
請求項２に記載のモバイル端末。
【請求項７】
前記モバイル端末は、メモリをさらに備え、前記メモリは、前記スイッチ回路のスイッチ状態と、前記第１の配置検出回路、前記第２の配置検出回路、及び前記データ検出回路の検出結果との間の対応を記憶するように構成される、請求項１又は２に記載のモバイル端末。
【請求項８】
前記プロセッサは、前記対応と、前記第１の配置検出回路、前記第２の配置検出回路、及び前記データ検出回路の検出結果とに基づいて、前記スイッチ回路の前記スイッチ状態を制御するように構成される、請求項７に記載のモバイル端末。
【請求項９】
前記第１のインターフェース及び前記第２のインターフェースは、同じポートを備える、請求項１ないし８いずれか一項に記載のモバイル端末。
【請求項１０】
前記第１のインターフェースおよび前記第２のインターフェースは、ＶＢＵＳ、Ｄ＋、Ｄ−、ＵＳＢ＿ＩＤ、およびグラウンドを備える、請求項９に記載のモバイル端末。
【請求項１１】
前記第１のインターフェースまたは前記第２のインターフェースは、ＵＳＢマイクロＢインターフェースである、請求項１ないし１０いずれか一項に記載のモバイル端末。
【請求項１２】
前記第１のインターフェースまたは前記第２のインターフェースは、ＰＯＧＯ  ＰＩＮインターフェースである、請求項１ないし１０いずれか一項に記載のモバイル端末。
【請求項１３】
前記モバイル端末は、さらにベースを含み、前記ベースは、前記ＰＯＧＯ  ＰＩＮインターフェースに接続され、前記ＰＯＧＯ  ＰＩＮインターフェースをＵＳＢマイクロＢインターフェースに変換する、請求項１２に記載のモバイル端末。
【請求項１４】
前記モバイル端末は、ベースをさらに備え、前記ベースは、前記ＰＯＧＯ  ＰＩＮインターフェースに接続され、前記ＰＯＧＯ  ＰＩＮインターフェースをタイプＡインターフェースに変換する、請求項１２に記載のモバイル端末。
【国際調査報告】
2021532484.tif 000019
2021532484.tif 000020
2021532484.tif 000021
2021532484.tif 000022